(57)【要約】【課題】  従来の空気調和機の室外機では、室外機底部の下へドレンパンを設置する必要があり、据付施工時に室外機の左右から底板の下へ挿し込む方法か、室外機を持ち上げて底板の下へ設置する方法しかとることができない。【解決手段】  熱源ユニット全体を支持する脚部を有する底板と、ドレン水を回収するためのドレンパンを備え、底板の脚部にはフォークリフトのフォークを挿入する挿入孔が設けられた熱源ユニットにおいて、挿入孔にドレンパンを挿入し設置可能とする。【選択図】図１
2012013404.tif 000002
【特許請求の範囲】
【請求項１】
冷凍サイクル装置の構成部品と、
前記冷凍サイクル装置の構成部品が配置される底板と、
フォークリフトのフォークを挿入するための挿入孔を備えた脚部と、
前記挿入孔に挿入されて設置されるドレンパン、
を備える熱源ユニット。
【請求項２】
熱源ユニットの下部のスペースに配置されるドレンパンにおいて、熱源ユニットの脚部に設けられるフォークリフトのフォークを挿入する挿入孔に挿入され設置されることを特徴とするドレンパン。
【請求項３】
前記挿入孔への挿入方向に対して上下に傾けて前記脚部に設置されることを特徴とする請求項２に記載のドレンパン。 
【発明の詳細な説明】
【技術分野】
【０００１】
本発明の実施形態は冷凍サイクル装置の熱源ユニットとドレンパンに関する。
【背景技術】
【０００２】
従来、冷凍サイクル装置の熱源ユニットは、室内ユニット等の利用側ユニットと冷媒配管などで接続され、屋外に設置されている。
この熱源ユニットとして、例えば、圧縮機、アキュームレータ、室外熱交換器等の冷凍サイクル装置の構成部品と、制御装置及び送風機を備えた空気調和機の室外ユニットが知られている。
上記室外ユニットでは、室外ユニットの運転により、室外熱交換器などの冷凍サイクル構成部品に生じるドレン水を、底板に設けられた排水口から室外ユニットの外部に排出するようになっている。
上記のような室外ユニットでは、水捌けの悪い場所や、ドレン水処理用の側溝などが施されていない場所に室外ユニットを設置した場合、室外ユニットの外部に排出されたドレン水により室外ユニットのまわりが水浸しの状態となる。
そこで、室外ユニット下部のスペースにドレン水を受けるドレンパンを配置し、このドレンパンに設けられたドレンホースからドレン水を排水することが知られている。
一般的に、空調負荷が大きいビル等の建物に設置される室外ユニットの場合、大型で重量が大きいため、搬送にフォークリフトが使用されることが多い。
室外ユニットの脚部は、室外ユニット下方の前面側と後面側のそれぞれに室外ユニットの幅方向に亘って設けられ、この脚部に所定の間隔を有してフォークリフトのフォークを挿入するための挿入孔が設けられている。
つまり、室外ユニットに、ドレンパンを収容するためには、室外ユニット下部の前後が脚部でふさがれているため、室外ユニットの左右方向から室外ユニットの下方にドレンパンを挿入する必要がある。
しなしながら、室外ユニットの場合、設置スペースの制約上、複数台の室外ユニットが集中的に密接して設置されることが多く、特に３台以上の室外ユニットを横並びに密接して連続設置した場合や、左右を壁で塞がれた場所に室外ユニットを設置した場合は、ドレンパンの設置が非常に困難であった。
【先行技術文献】
【特許文献】
【０００３】
【特許文献１】特開２００１−２０１１０８号公報
【特許文献２】特許第３０８６４９６号公報
【発明の概要】
【発明が解決しようとする課題】
【０００４】
本発明の実施形態は、上記のような事情に基づいてなされたものであり、その目的は、熱源ユニットの配置態様に関わらずドレンパンの設置作業が容易な熱原ユニット及びドレンパンを提供することである。
【課題を解決するための手段】
【０００５】
本発明の実施形態は、上述した課題を解決するためになされたものであり、熱源ユニットの脚部にフォークリフトのフォークが挿入可能な挿入孔を備えた熱源ユニットにおいて、前記挿入孔にドレンパンを挿入し設置するものである。
【図面の簡単な説明】
【０００６】
【図１】本発明の第１の実施形態に係る空気調和機の室外ユニットを示す斜視図。
【図２】第１の実施形態に係る空気調和機の室外ユニットの内部構造を示す斜視図。
【図３】第１の実施形態に係る空気調和機の室外ユニットの底板上面を示す概略斜視図。
【図４】第１の実施形態に係るドレンパンを示す斜視図。
【図５】第１の実施形態に係る空気調和機の室外ユニットの脚部を拡大して示す図。
【図６】第１の実施形態に係る空気調和機の室外ユニットの左側面図。
【図７】第１の実施形態に係る空気調和機の室外ユニットを左右方向に連続設置した状態を示す外観図。
【図８】第２の実施形態に係るドレンパンを示す斜視図。
【図９】第２の実施形態に係るドレンパンの設置図。
【図１０】第２の実施形態に係るドレンパンの基端側の図。
【図１１】第２の実施形態に係るドレンパンの先端側の図。
【図１２】第２の実施形態に係るドレンパンの側面図。
【図１３】第２の実施形態に係るドレンパンの設置図。
【発明を実施するための形態】
【０００７】
以下、本発明の実施形態を、図面にもとづいて説明する。
（第１の実施形態）
本実施形態において、冷凍サイクル装置の熱源ユニットとして、空気調和機の室外ユニット１を例に説明する。本発明の実施形態の空気調和機は、例えばビルや大型商業施設等に設置され、主として、複数の室外ユニット１と図示しない複数の室内ユニットが冷媒配管により接続されて構成される。
【０００８】
図１に示すように、室外ユニット１は四角柱状で前後左右の側面を覆う４枚の外板２と、上部を覆う天板３と、底面を覆う底板４が備えられている。外板２には、室外ユニット１内部に外気を取入れるための複数の吸入孔２ａが設けられている。天板３には、ほぼ中央部に円筒状のベルマウス３ｂが一体または一体的に突設されている。また、吸入孔２ａから室外ユニット１内に取入れた外気を、熱交換器１８を介して室外ユニット１外部に排出するための円形の排気孔３ａが設けられている。
【０００９】
図２に示すように室外ユニット１の内部は、仕切り板１３によって上下に区画され、仕切り板１３下面と底板４上面の間に機械室８が形成され、仕切り板１３上面と天板３下面の間に熱交換室９が形成される。
底板４の四隅近傍には、４本のフレーム１１が機械室８を囲むように立設され、このフレーム１１の上端部に亘って仕切り板１３が載置されている。
【００１０】
機械室８内には、底板４上に圧縮機１４やアキュームレータ１６等の冷凍サイクル装置の構成部品が配置され、これらを接続する冷媒配管１５、図示しない室内ユニットの冷媒配管に接続される一対の配管接続部および、電気部品箱１９等が収容されている。
電気部品箱１９は、圧縮機１６の回転数を制御するインバータ装置や、制御器等の多数の電気部品が収容されている。
【００１１】
一方、熱交換室９には、室外熱交換器１８や図示しない室外ファン等が収容されている。
室外熱交換器１８は、平面視で略Ｌ字状に形成される左右一対のフィンチューブ型熱交換器が対向して配置されることで、全体的に平面視で略四角形状に構成されている。
この室外熱交換器１８に対向して外板２に上記吸込口２ａが設けられている。
室外熱交換器１８の上方には、図示しない室外ファンが上記天板３の排気口３ａに対向して配置されている。
【００１２】
上記仕切り板１３は、室外熱交換器１８に生じる結露水（ドレン水）や外板２の吸入孔２ａ等から熱交換室９内へ浸入した雨水を受止め排出させるために略スリ鉢状に形成されており、略スリ鉢状の最凹部にはドレン排出口１３ａが設けられている。このドレン排出口１３ａには、排水ダクト２０の上端部が接続される。一方、底板４には、図３に示すように、排水ダクト２０の下端部が接続されるダクト接続口２２が設けられている。排水ダクト２０により、熱交換室９と室外ユニット１の外部とが連通し、熱交換室９内で生成されるドレン水や熱交換室９内に侵入した雨水が、排水ダクト２０を介して室外ユニット１の外部に排出される。
【００１３】
また、機械室８内において、圧縮機１４の運転中に冷凍サイクル構成部品に生じる結露水（ドレン水）や機械室８内に浸入した雨水は、底板４に受止められ、底板４に設けられた複数のドレン排水口２４から室外ユニット１の外部に排出される。
【００１４】
底板４下面の前後両端部近傍には、室外ユニット１の幅方向に亘って前方脚部２１ｆおよび後側脚部２１ｒがそれぞれ設けられている。前側脚部２１ｆおよび後側脚部２１ｒはそれぞれＬ字形状に形成されており、Ｌ字形状の垂直片部２１ｆａ，２１ｒａには、室外ユニット１の搬送時にフォークリフトのフォークが挿入される挿入孔２３（２３ｆＲ、２３ｆＬ、２３ｒＲ、２３ｒＬ）が設けられている。
この挿入孔２３はフォークリフトのフォークが挿入可能な寸法形状であり、前側脚部２１ｆに設けられる右前挿入孔２３ｆＲと左前挿入孔２３ｆＬの間隔と、後側脚部２１ｒに設けられる右後挿入孔２３ｒＲと左後挿入孔２３ｒＬの間隔は、フォークリフトの２本のフォークが挿通可能なように所定の間隔を有して設けられている。
【００１５】
前側脚部２１ｆ，後側脚部２１ｒには、それぞれの垂直片部２１ｆａ，２１ｒａの下端から室外ユニット１の外側に向けて略直角に折曲げ形成される水平片部２１ｆｂ，２１ｒｂが設けられ、これら水平片部２１ｆｂ，２１ｒｂには、アンカーボルト等の固定具が貫通する固定用孔２５が複数設けられている。
たとえば、設置場所に埋設されたアンカーボルトが固定用孔２５に挿入されるように室外ユニット１を配置し、アンカーボルトにナットを締付けることで室外ユニット１が設置場所に固定される。
【００１６】
図１に示すように、前側脚部２１ｆ，後側脚部２１ｒにより、室外ユニット１の下面と室外ユニット１の設置面との間にスペースＳが形成される。上記挿入孔２３にドレンパン５が挿入されることでスペースＳにドレンパン５が収容される。
このドレンパン５が、上記排水ダクト２０及び底板４のドレン排水口２４から室外ユニット１の外部に排出されたドレン水を受ける。
ここで、図３の点線は室外ユニット１に収容されたドレンパン５の位置を示しており、底板２４のダクト接続口２２及び排水口２４はドレンパン５上に位置するように設けられている。
【００１７】
次にドレンパン５について詳述する。
図４はドレンパン５を示す斜視図であり、図５は室外ユニット１の後側脚部２１ｒの一部を拡大して示す斜視図であり、図６は室外ユニット１の左側面図である。
図４に示すように、ドレンパン５は上面が開口した箱体のドレンパン本体３０と、ドレンパン本体３０の前後にそれぞれ設けられる板状の固定部３１（３１ｆ，３１ｒ）と、ドレンパン本体３０の前後側面にそれぞれ設けられる接続口体３２（３２ｆ，３２ｒ）で構成されている。
ドレンパン本体３０の幅方向長さＷ１は、図４の破線で示す挿入孔２３の幅方向長さｗよりも若干小さく設けられている。
一方、ドレンパン本体３０の高さ方向長さＨは、後述するドレンパン５の傾斜を調整するため、挿入孔２３の高さ方向長さｈの２／３程度に設定されている。
また、図６に示すように、ドレンパン本体３０の奥行き方向長さは、前側脚部２１ｆ，後側脚部２１ｒの垂直片部２１ｆａ，２１ｒａの間隔Ｌと略同等に設けられている。
これにより、ドレンパン本体３０は、フォークリフトのフォークが挿入される挿入孔２３に挿入可能となり、室外ユニット１の下部（スペースＳ）に完全に隠れることになる。
【００１８】
図４に示すように、ドレンパン本体３０の前後側面には、板状の固定板３１（３１ｆ，３１ｒ）がそれぞれ着脱自在に設けられている。なお、図５に示すように、固定板３１の幅方向長さＷ２は、脚部２１の挿入孔２３の幅寸法長さｗよりも大きく設けられている。
固定板３１には、固定板３１をドレンパン本体３０に固定するためのネジ貫通孔３１ａが設けられている。ドレンパン本体３０の前後側面には、固定板３１のネジ貫通孔３１ａと対向する位置にネジ孔３０ａが設けられている。固定板３１のネジ貫通孔３１ａにネジ６を挿入し、ドレンパン本体３０のネジ孔３０ａにネジ６を螺合させることで、固定板３１がドレンパン本体３０に固定される。
【００１９】
また、固定板３１には、ドレンパン本体３０の前後側面のそれぞれに設けられた接続口体３２が貫通する接続口体用孔３１ｃが設けられている。この接続口体３２にドレンホース３５（図６）が接続される。なお、接続口体３２には栓５ｄが取付けられており、ドレンパン本体３０に固定板３１を取付けるときや、接続口体３２にドレンホース３５を取付けるときは、栓５ｄは接続口体３２から取り外される。
【００２０】
固定板３１の左右両端部近傍には、固定板３１を脚部２１にネジ止めするための複数のネジ貫通孔３１ｂが設けられている。このネジ貫通孔３１ｂは、左右２つの上側ネジ貫通孔３１ｂ１と左右２つの下側ネジ貫通孔３１ｂ２とからなる。
一方、前側脚部２１ｆ，後側脚部２１ｒの垂直片部２１ｆａ，２１ｒａには、各挿入孔２３の左右両端部近傍で、挿入孔２３の高さ方向の略中央位置に脚部ネジ孔２６が設けられている。
【００２１】
この脚部ネジ孔２６と固定板３１の上下どちらか一方を対向させ、ネジ７をネジ貫通孔３１ｂを介して脚部ネジ孔２６に螺合させることで、固定板３１が脚部２１に固定される。
つまり、前側固定板３１ｆは下側ネジ貫通孔３１ｂ２を選択し、後側固定板３１ｒは上側ネジ貫通孔３１ｂ１を選択すると、図６（Ａ）に示すように、ドレンパン本体３０をその後側が低くなるように傾斜させることができる。逆に、前側固定板３１ｆは上側ネジ貫通孔３１ｂ１を選択し、後側固定板３１ｒは下側ネジ貫通孔３１ｂ２を選択すると、図６（Ｂ）に示すように、ドレンパン本体３０をその前側が低くなるように傾斜させることができる。
ここで、上側ネジ貫通孔３１ｂ１の近傍には、図５に示すように「下」の文字が刻印されている。上述したように、ドレンパン本体３０の前後側面のどちらか一方が低くなるように傾斜させる場合、低くする側の固定板３１は、「下」の刻印がある上側ネジ貫通孔３１ｂ１を選択してネジ７で固定すればよい。
【００２２】
次に、ドレンパン５の設置手順について説明する。
ここでは、図１の矢印で示すように、室外ユニット１の前側（１Ｆ）からドレンパン５を挿入し、室外ユニット１の後側（１Ｒ）の接続口体３２ｒにドレンホース３５を接続する場合について説明する。
室外ユニット１を設置場所に配置し、アンカーボルト及びナット等で固定した後、ドレンパン５を設置する。
【００２３】
まず、図１に示すように、ドレンパン本体３０の前側側面に予め固定板３１（３１ｆ）を取付ける。
続いて、ドレンパン本体３０を前側脚部２１ｆの左前挿入孔２３ｆＬから後側脚部２１ｒの左後挿入孔２３ｒＬに亘って挿入する。同様にドレンパン本体３０を前側脚部２１ｆの右前挿入孔２３ｆＲと後側脚部２１ｒの右後挿入孔２３ｒＲに亘って挿入する。
ここでは、ドレンホース３５を室外ユニット１後側の接続口体３２ｒに接続するので、図６（Ａ）に示すように、ドレンパン本体３０を後側が低くなるように傾斜させる必要がある。そのため、上述したように、前側固定板３１ｆは下側ネジ貫通孔３１ｂ２を選択し、ネジ７を下側ネジ貫通孔３１ｂ２を介して前側脚部２１ｆの脚部ネジ孔２６に螺合させ、前側固定板３１ｆを前側脚部２１ｆに固定する。
次に、ドレンパン本体３０の後側側面に固定板３１（３１ｒ）を取付ける。その後、図５に示すように、固定板３１ｒに刻印された「下」の文字がある上側ネジ貫通孔３１ｂ１を選択し、ネジ７を上側ネジ貫通孔３１ｂ１を介して後側脚部２１ｆの脚部ネジ孔２６に螺合させ、後側固定板３１ｒを後側脚部２１ｆに固定する。
これにより、ドレンパン５はその後側が低くなるように傾斜した状態で室外ユニット１に固定される。
最後に、傾斜したドレンパン本体３０の低い方である後側側面の接続口体３２ｒにドレンホース３５を接続し、ドレンホース３５を接続しない前側側面の接続口体３２ｆに栓５ｄを取付ける。
以上の手順でドレンパン５が室外ユニット１に設置される。
【００２４】
このようにして構成される空気調和機の室外ユニットであり、利用側ユニットからの運転指令信号により、圧縮機１４が駆動されて室外熱交換器１８や室内ユニット内の室内熱交換器およびアキュームレータ１６等に冷媒が導かれ、冷凍サイクル運転がなされる。
同時に、室外ファンが駆動され、外気を熱交換室９内に吸込む。外気は室外熱交換器１８を流通する際に熱交換し、さらに室外ファンにより排気口３ａを介して外部へ排気される。
冷凍サイクル装置の運転により室外熱交換器１８に発生したドレン水や、外板２の吸入孔２ａや天板３の排気孔３ａから浸入した雨水は仕切り板１３に滴下し、排出口１３ａから排水ダクト２０を介して室外ユニットの外部に排出される。
さらに、機械室８内の冷媒配管１５やアキュームレータ１６などに発生したドレン水は底板４に滴下し、ドレン排出口２４を介して室外ユニット１の外部に排出される。
【００２５】
室外ユニット１の外部に排出されたドレン水は、室外ユニット１の外部下部空間（スペースＳ）に取付けられたドレンパン５が受け、ドレンパン５の接続口体３２に接続されたドレンホース３５を介して設置場所の排水口等に排水される。
これにより、水捌けの悪い場所や、ドレン水処理用の側溝などが施されていない場所に室外ユニット１を設置した場合でも、室外ユニット１の外部に排出されたドレン水により室外ユニット１のまわりが水浸しの状態となることがない。
【００２６】
さらに、図７に示すように、室外ユニット１を左右方向に３台連続設置した場合や、左右両側を壁Ｋなどで囲まれた場合でもドレンパン５の設置が可能である。
ここで、室外ユニット１の設置条件として、室外ユニット１の後側に最低でも３０ｃｍ以上の作業スペースを確保する。これにより室外ユニット１の後側に壁Ｋがある場合でも、作業者が上記作業スペースで作業できるので、室外ユニット１の前側からドレンパン本体３０を挿入した後、ドレンパン５の後側側面の接続口体３２ｒとドレンホース３５を接続することが可能であり、室外ユニット１の配置態様に関わらずドレンパン５を設置することができる。
また、脚部２１に余分な挿入孔や構造を付加する必要が無く、室外ユニットを支えるための強度や耐久性を確保することができる。
【００２７】
上述した本実施形態のような、固定部３１にネジ貫通孔３１ｂが上下方向に二つ設けられた構成に限らず、ドレンパン５を傾斜して配置することができるその他の構成を用いても良い。例えば、上下方向に３つ以上のネジ貫通孔を設ける構成や、複数のネジ貫通孔を一体化した縦長の角丸長方形状に形成されたネジ貫通孔を用いても良い。
作用的には、先に説明した固定板３１の上下に設けたネジ貫通孔３１ｂ１、３１ｂ２と全く同一であるが、ネジ貫通孔３１ｂを上下方向に二つ設けた場合に比較して、固定板３１の取付け高さの微調整が可能となる。
また、脚部ネジ孔２６を上下方向に複数設け、選択的に固定板３１の固定される高さを変更しても良く、ドレンパン５を傾斜させても良い。
【００２８】
（第２の実施形態）
第２の実施形態の説明を行うにあたり、第１の実施形態と重複する構造に関しては説明を省略する。
【００２９】
第１の実施形態と同一の構成として室外ユニット１があり、異なる構成として、ドレンパン３９がある。
図８に示すように、第２の実施形態のドレンパン３９はドレンパン本体４０と固定支持板４１と自由支持板４２と接続口体４３で構成されている。
ドレンパン本体４０は、底面部４０ｅと、底面部４０ｅの外周端から垂直状に折曲形成された側面部４０ｆを有し、上面部が開口した箱型形状となっている。
ここで、ドレンパン本体４０の固定支持板４１側の側面部を基端４０ａとし、接続口体４３側の側面部を先端４０ｃとする。
ドレンパン本体４０は、基端４０ａから先端４０ｃに向かう所定の長さ位置４０ｂまでは同一の幅方向長さＷ１に形成され、所定の長さ位置４０ｂから先端４０ｃに向かう残りの部分は幅方向長さが漸次縮小するように形成されている。このように、先端４０ｃに向けて狭まる形状としたことで、先端４０ｃに接続される接続口体４３へドレン水をスムーズに案内することができる。
また、側面部４０ｆの高さ方向長さは、室外ユニット１の脚部２１に設けられたドレンパン挿入孔２３高さ方向長さｈの２／３程度であることが望ましい。
【００３０】
基端４０ａには、ドレンパン本体４０を固定支持板４１にネジにより固定するためのネジ孔４０ｄが上下２列に亘って複数設けられており、ドレンパン本体４０の左右方向の固定位置が変更可能となっている。
先端４０ｃには、円筒状の接続口体４３の基端が接続されており、ドレンパン本体４０内側と連通している。また、接続口体４３の先端はドレンホース３５（図９記載）を接続可能となっている。
【００３１】
また、ドレンパン本体４０の基端４０ａから先端４０ｃまでの距離は脚部の間隔Ｌよりも小さく、基端４０ａから接続口体４３の先端までの距離は前側脚部２１ｆと後側脚部２１ｒとの間隔Ｌよりも大きい。
【００３２】
次に、固定支持板４１について説明する。
固定支持板４１は、長方形板状の固定支持部４１ｃと、固定支持部４１ｃの左右両端から垂直に折曲形成された挿入部４１ｄと、挿入部４１ｄの端部から外側へ垂直に折曲形成された固定片４１ｅを有している。
【００３３】
ここで、支持部４１ｃの幅方向長さはドレンパン本体４０の幅方向長さＷ１と同様の長さに形成されており、支持部４１ｃにはドレンパン本体４０の基端４０ａに設けられたネジ孔４０ｄに対向し、ネジ６が貫通可能な貫通孔４１ａが複数設けられている。
また、挿入部４１ｄは図９に示すように、固定支持板４１を脚部２１に固定した際に、挿入孔２３に挿入され、前側脚部２１ｆの前面側からスペースＳ方向へ突出するように形成されている。
また、固定片４１ｅには脚部ネジ孔２６に対向し、ネジ７が貫通可能な貫通孔４１ｂが設けられている。
【００３４】
固定支持板４１は、ドレンパン本体４０が自重によって先端４０ｃ側が下がるように傾斜可能とするため、弾性変形可能な板金で形成されている。
【００３５】
略台形形状に形成されており自由支持板４２は、略中央に接続口体４３を自由支持するための凹部４２ａが設けられている。そして、室外ユニット１の脚部２１へ固定されるためのネジ孔４２ｂが左右方向に向って複数設けられている。ここで、凹部４２ａの最もへこんだ下端の位置は、基端４０ａの最下端よりも低い位置になっている。
【００３６】
上述のドレンパン３９を熱源ユニット１への設置方法を、図９乃至図１３を用いて説明する。
【００３７】
まず、ドレンパン本体４０の先端４０ｃ側から室外ユニット１の前側脚部２１ｆのドレンパン挿入孔２３ｆＲ、２３ｆＬへ挿入し、図９に示すようにドレンパン本体４０が室外ユニット１の底板４のドレン排出孔２４の直下に配置する。
そして、図１０に示すように、ネジ６を固定支持板４１の貫通孔４１ａを貫通させドレンパン本体４０のネジ孔４０ｄに螺合させ固定する。そして、ネジ７を固定支持板４１の貫通孔４１ｂに貫通させ、脚部ネジ孔２６に螺合させ固定する。
【００３８】
ここで、上下２列ある複数のネジ孔４０ｄの内、上列の２箇所と下列の１箇所のように同一直線状ではない三点を選択し、ネジ６で固定するのが好ましく、これにより、十分な安定性と強度を確保することができる。
【００３９】
また、固定支持板４１の材質によっては弾性変形しにくい場合もあり、その場合は４０ｄと４１ａの間にスプリングワッシャーなどを介在させてネジ６にて固定することで、ドレンパン本体４０を傾斜させることが可能である。
【００４０】
次に、図１１に示すように、自由支持板４２の凹部４２ａの最下端が接続口体４３を自由支持するように位置を調節し、ネジ７を貫通孔４２ｂに貫通させ、脚部２１のネジ孔に螺合させ固定する。
なお、ドレンパン本体４０は固定支持板４１を固定端とする片持ち梁状に固定されてよく、接続口体４３は必ずしも凹部４２ａに接している必要はない。
そして、図９に示すように接続口体４３の先端にドレンホース３５を接続する。
【００４１】
上述のようにドレンパン３９を配置することで、図１２に示すように、ドレンパン本体４０は自重により傾くため、固定支持板４１に固定された基端４０ａ側に対して、自由支持板４２に支持される先端４０ｃ側が低くなる。これにより、ドレンパン本体４０に滴下した水は先端４０ｃ側へ集められ、接続口体４３とドレンホース４３を介してドレンパン３９の外部へ排出される。
また、自重に対するドレンパン４０の傾斜が小さい場合、固定支持板４１の支持部４１ｃと挿入部４１ｄとの折曲形成された部分に上方から切込を設けることで、ドレンパン本体４０の傾斜を大きくすることができる。
【００４２】
第２の実施形態特有の効果として、ドレンパン３９の位置を左右へ調整することが可能であり、図１３に示すように、ドレン排出口２４の位置が異なる底板４を有する熱源ユニットにおいて、特別な変更をすることなく設置が可能となる。
また、ドレンパン３９の先端部は自由支持されるため、接続口体４３の長さの範囲で底板４の脚部間隔Ｌが異なる熱源ユニットにおいても、特別な変更をすることなく設置が可能となる。
【００４３】
ドレンパン３９は室外ユニット１の第１の実施形態で用いたドレンパン５と同様に、前後どちら側からでも設置が可能である。
【００４４】
上述した第１及び第２の実施形態ではドレンパンの固定にネジを用いたがその他にもスライド式レールや、その他の固定構造及び支持構造を用いて良い。
【００４５】
なお、本発明は上述した実施形態そのままに限定されるものではなく、実施段階ではその要旨を逸脱しない範囲で構成要素を変形して具体化できる。そして、上述した実施形態に開示されている複数の構成要素の適宜な組合せにより種々の発明を形成できる。また、本発明は空気調和機の室外ユニットに限らず、ヒートポンプ給湯機や、冷凍サイクル装置を備えるその他の熱源ユニットにおいても実施が可能である。
【符号の説明】
【００４６】
１…室外ユニット、４…底板、５…ドレンパン、３０…ドレンパン本体、３０ａ…ネジ孔、３１…固定板、３１ａ、３１ｂ…ネジ貫通孔、３１ｃ…接続口体貫通孔、３２…接続口体、６…ネジ、７…ネジ、２０…排水ダクト、２１…脚部、２２…ダクト接続口、２３…挿入孔、２４…ドレン排出口、２６…脚部ネジ孔、３９…ドレンパン、４０…ドレンパン本体、４１…固定支持板、４２…自由支持板、４３…接続口体 
【図１】
2012013404.tif 000003
【図２】
2012013404.tif 000004
【図３】
2012013404.tif 000005
【図４】
2012013404.tif 000006
【図５】
2012013404.tif 000007
【図６】
2012013404.tif 000008
【図７】
2012013404.tif 000009
【図８】
2012013404.tif 000010
【図９】
2012013404.tif 000011
【図１０】
2012013404.tif 000012
【図１１】
2012013404.tif 000013
【図１２】
2012013404.tif 000014
【図１３】
2012013404.tif 000015